(57)【要約】【課題】既存の落石防護装置を活用しつつ、想定されうる落石被害を防ぐことができながら、施工性に富み、また、廉価に施工でき、加えて、落石防護網を設置した既存の斜面等にも簡単に適用できる新しい落石防護装置を提供する。【解決手段】斜面Ｇに立設され、斜面上方に一端を固定した吊りロープ１３で支持された支柱８と、斜面ＧにポケットＰを形成するように斜面Ｇを覆って前記支柱８に吊り下げられた細かな目合いを有する第１の網状体２と、この第１の網状体２の上端から斜面側に、当該第１の網状体２の斜面側の面２Ａに接触させることの無いように離間させて、上端を前記支柱８に支持され、下部は斜面Ｇに固定されて張設された第２の網状体３とから構成されてなるものである。【選択図】  図１
2014105528.tif 000002
【特許請求の範囲】
【請求項１】
斜面に立設され、斜面上方に一端を固定した吊りロープで支持された支柱と、斜面にポケットを形成するように斜面を覆って前記支柱に吊り下げられた第１の網状体と、この第１の網状体の上端から斜面側に、当該第１の網状体の斜面側の面に接触させることの無いように離間させて、上端が前記支柱に支持され、下部は斜面に固定されて張設された第２の網状体とから構成されてなることを特徴とする落石防護装置。
【請求項２】
第２の網状体は、高強度のロープを円形に曲げたリングロープが多数結合されて一条をなすリング列が平行に多数並べられ、隣りあうリング列を結合して形成された多数条からなるネットユニットを隣り合う者同士を結合して形成されたものである請求項１記載の落石防護装置。
【請求項３】
前記支柱の上端に支えられて前記第２網状体の上端を固定するバックステーロープと、このバックステーロープの両端を地山に固定するアンカーと、下部を固定するエンドロープと、このエンドロープの両端を地山に固定するエンドアンカーを備えている請求項１〜２のいずれかに記載の落石防護装置。
【請求項４】
斜面に立設した複数本の支柱を斜面上方に一端を固定した吊りロープで支持するとともに、支柱の頂部に吊り下げた第１の網状体によって斜面にポケットが形成されるように当該斜面を覆い、更に前記第１の網状体の斜面側に、当該第１の網状体の斜面側の面に接触させることの無いように離間させて、上端を前記支柱を介して支持し、下部は斜面に固定して第２の網状体を張設することを特徴とする落石防護工法。
【請求項５】
第２の網状体は、高強度のロープを円形に曲げたリングロープが多数結合されて一条をなすリング列を平行に多数並べ、隣りあうリング列を結合して多数条からなるネットユニットを形成し、更にネットユニットの複数を隣り合う者同士結合して形成したものが用いられる請求項４記載の落石防護工法。
【請求項６】
第２の網状体は、上端を前記支柱の上端に支えられたバックステーロープに固定するとともに、このバックステーロープの両端を地山にアンカーで固定し、下部をエンドロープに固定し、更にこのエンドロープの両端をエンドアンカーで地山に固定して張設する請求項４〜５のいずれかに記載の落石防護工法。
【発明の詳細な説明】
【技術分野】
【０００１】
本発明は、傾斜地に張設した第１の網状体と第２の網状体とから落石の防止を図る落石防護装置および落石防護工法に関する。
【背景技術】
【０００２】
立木や浮き石等が散在する傾斜面で落石を防止する場合、傾斜地に、例えばワイヤーロープ等の強度のあるロープを縦横に張設して落石等の防止を図るようにしている。このような落石防護装置は、例えば、支柱を用いて、上部に開口を設けて傾斜地にその斜面上方から落石防護網を吊り下げ、落石が生じた場合には、この落石防護網と斜面との間に受け入れて、路上などへの落石を防止する主としてポケット式落石防護装置が知られていて、多くの提案がなされ、また国内の多くの場所で施工されている（特許文献１、同２）。
【先行技術文献】
【特許文献】
【０００３】
【特許文献１】特開２００３−１２９４２５
【特許文献２】特開２００７−１００４８４
【特許文献３】特許第３１３１５６６号公報
【発明の概要】
【発明が解決しようとする課題】
【０００４】
前記したポケット式落石防護装置は、落石防護網によって落石の衝撃を受け止めるものであるから、網自体に十分な強度が要求される。このような耐衝撃性を確保する手段としては、従前は網体の堅牢性のみに頼っていたもので、堅牢性確保のコストが嵩み高価になる問題を抱えている。
【０００５】
また、経年変化などにより金網などが劣化したり、施工当時と現在では安定計算方法が異なってきたりするなどの要因で、本来有するべき強度を有していないような現場が近年では多く見られるようになっている。そして、このような現場をすべて改善するためには、従来の手法を踏襲すると、既存のものを撤去して新たな落石防護網を設置しなければならず、非常に煩雑でしかも高コストになる。
【０００６】
ところで、ロープ（ワイヤー素材）をリング状に形成したリングロープの多数を結合して網状に構成した網状体は以下のような優れた特性を備える。
即ち、落石による衝撃を受けると、各リング部材が他のリング部材との結合箇所で斜面から遠ざかる外方へ引っ張られ、例えば結合箇所が周方向で４か所であれば、リング部材は矩形に変形し、このようにリング部材を変形させる力が吸収ネルギーとなり、支柱間のリング式ネットにおける全リング部材の変形はきわめて大きなエネルギー吸収を果たす。また、直接的衝撃を受けたリング部材から、その周辺リング部材への力の伝達が均一に行われ、リングロープからなる網状体全体でのエネルギー吸収がきわめて円滑に行われる（特許文献３）。
【０００７】
そこで本発明は、既存のポケット式落石防護装置・工法に好適に適用でき、想定され得る落石被害を効果的に防ぐことができるものでありながら、施工性に富み、また、廉価に施工でき、加えて、落石防護網を設置した既存の斜面等にも簡単に適用できる新しい落石防護装置および工法を提供することを目的とする。
【課題を解決するための手段】
【０００８】
この目的を達成するために本発明に係る落石防護装置は、斜面に立設され、斜面上方に一端を固定した吊りロープで支持された支柱と、斜面にポケットを形成するように斜面を覆って前記支柱に吊り下げられた第１の網状体と、この第１の網状体の上端から斜面側に、当該第１の網状体の斜面側の面に接触させることの無いように離間させて、上端が前記支柱に支持され、下部は斜面に固定されて張設された第２の網状体とから構成する、という手段を採用する。
【０００９】
第１の網状体を谷側に張設するとともに、第２の網状体を前記第１の網状体の斜面側に、当該第１の網状体の斜面側の面に接触させることの無いように離間させて張設することにより、第１の網状体は、従来からあるポケット式の落石防護装置、工法を活用しつつ、第２の網状体を用いることで、大きな落石による衝撃を先ずこの第２の網状体で的確に吸収し、第１の網状体にこの大きな落石の落下エネルギーが伝達するのを上手く低減または阻止し、その後、落石をこの第２の網状体に沿って安全な斜面下へと誘導させる。
【００１０】
また、第１の網状体を張設するために斜面に立設した支柱に第２の網状体を張架するから、例えば既存のポケット式の落石防護装置・工法に採用される支柱を転用でき、新設、既存にかかわらず、大掛かりな装置や器具を必要とせず、簡単な施工を可能にする。
【００１１】
以上の落石防護装置において、請求項２に記載のように、第２の網状体は、高強度のロープを円形に曲げたリングロープが多数結合されて一条をなすリング列が平行に多数並べられ、隣りあうリング列を結合して形成された多数条からなるネットユニットを隣り合う者同士を結合して形成されるものが望ましい。
その特有の変位挙動によって優れた落石エネルギーの吸収性を有し、落石の落下エネルギーの効果的な低減または阻止を可能にするからである。
つまり、リングロープを変形させる力が落石の衝撃を吸収するエネルギーとなり、極めて大きなエネルギー吸収を果たし、併せて直接的衝撃を受けたリングロープから、その周辺のリングロープへの力の伝達が均一に行われ、ネット全体でのエネルギー吸収がきわめて円滑に行われ、第１の網状体への大きな落石の衝撃が伝播するのを上手く低減または阻止できるからである。
【００１２】
また、請求項３に記載のように、本発明に係る落石防護装置は、前記支柱の上端に支えられて当該第２の網状体の上端を固定するバックステーロープと、このバックステーロープの両端を地山に固定するアンカーと、下部を固定するエンドロープと、このエンドロープの両端を地山に固定するエンドアンカーを備えていることが望ましい。
第２の網状体を第１の網状体よりも斜面側に離間して張設するにあたって、上端並びに下部をバックステーロープとエンドロープに固定し、このバックステーロープとエンドロープを夫々アンカーで地山に固定する手段を採用したので、大掛かりな装置や器具を必要とせず、簡単な施工を可能にするからである。
【００１３】
更に、バックステーロープの中間は前記各支柱の上端に設けられた取り付け金具に支えられるのが望ましい。
この取り付け金具を介してバックステーロープが支持されるので、第２の網状体の簡便な張設が可能になる。
【００１４】
また、取り付け金具は、バックステーロープ支持用のジョイントピンと、このジョイントピンによって取り付け片に着脱自在に取り付けられる平板からなり、前記ジョイントピンは前記支柱の上端に設けた取り付け片の斜面側にある前記吊りロープ挿通用の挿通孔に挿通固定されるとともに、軸芯部にはバックステーロープを挿通する貫通孔を備え、前記平板は前記ジョイントピンによって取り付け片に着脱自在で、且つ、谷側部位を回動自在に支持され、斜面側には前記吊りロープのシャックルを支持する支持ピンを備えてなるのが望ましい。
第１の網状体を斜面に張設するための既存の構造に、バックステーロープのジョイントピンとこのジョイントピンを介して吊りロープの支持のための平板を回動自在に設けるだけの簡単な仕様変更で、第２の網状体を張設でき、大掛かりな装置や器具を必要とせず、簡単に施工できる。したがって、また、既設のポケット式の落石防護装置・工法にも簡便に適用でき、既に設けられた落石防護網を撤去して新たなものを再構築する場合に比べて、作業効率の大幅な改善と大幅なコストダウンを図ることができる。
【００１５】
また、本発明に係る落石防護工法は、請求項４に記載のように、斜面に立設した複数本の支柱を斜面上方に一端を固定した吊りロープで支持するとともに、支柱の頂部に吊り下げた第１の網状体によって斜面にポケットが形成されるように当該斜面を覆い、更に前記第１の網状体の斜面側に、当該第１の網状体の斜面側の面に接触させることの無いように離間させて、上端を前記支柱を介して支持し、下部は斜面に固定して第２の網状体を張設するようにした。
【００１６】
以上の落石防護工法において、請求項５に記載のように、第２の網状体として、高強度のロープを円形に曲げたリングロープが多数結合されて一条をなすリング列を平行に多数並べ、隣りあうリング列を結合して多数条からなるネットユニットを形成し、更にネットユニットの複数を隣り合う者同士結合して形成したものが用いられることによって、リングロープを変形させる力が落石の衝撃を吸収するエネルギーとなり、極めて大きなエネルギー吸収を果たし、併せて直接的衝撃を受けたリングロープから、その周辺のリングロープへの力の伝達が均一に行われ、ネット全体でのエネルギー吸収がきわめて円滑に行われ、第１の網状体への大きな落石の衝撃が伝播するのを上手く低減または阻止できるようになった。
【００１７】
また、請求項６に記載のように、第２の網状体は、上端を前記支柱の上端に支えられたバックステーロープに固定するとともに、このバックステーロープの両端を地山にアンカーで固定し、下部をエンドロープに固定し、更にこのエンドロープの両端をエンドアンカーで地山に固定して張設することで、第２の網状体を第１の網状体よりも斜面側に離間して張設するにあたって、大掛かりな装置や器具を必要とせず、簡単な施工が可能になる。
【発明の効果】
【００１８】
このように、本発明によれば、第１の網状体と、この第１の網状体から斜面側に間隔を置いて第２の網状体を張設し、落石が生じた際には、先ずこの第２の網状体によって、その落下衝撃エネルギーを効果的に吸収でき、その後この第２の網状体に沿って落石を安全な斜面下へと誘導できるので、第１の網状体が経年変化などにより金網などが劣化したり、施工当時と現在では安定計算方法が異なってきたりするなどの要因で、本来有するべき強度を有していないような場合であっても、想定され得る、特に大きな落石により、この第１の網状体が破れたり、損壊したりする被害を効果的に防ぐことができる。併せて、施工性に富み、また、廉価に施工でき、新設、既存にかかわらず、殊にポケット式の落石防護装置並びに工法に好適に適用できる。
【００１９】
また、本発明では、例えばポケット式の防護網等で、落石の衝撃エネルギー吸収能力が不足した場合にも本発明に係る落石防護装置・工法を追加、増設することができ、落石の衝撃エネルギー吸収能力を簡単に高めることができる。また、新たな落石発生源が判明し、例えば既設ポケット式の落石防護網等では落石の衝撃エネルギー吸収に不足が発生した場合にも、本発明による装置・工法の追加増設が簡便に行える。更には、想定外の落石が発生し、例えば既設のポケット式の落石防護網等の一部が破損した場合でも、破損個所を補修するときに、本発明に係る装置・工法を一部分に適用して簡便に補強をすることができるなど、多くの利点を有する。
【図面の簡単な説明】
【００２０】
【図１】本発明の第１実施形態の全体側面図である。
【図２】図１の一部を省略した正面図である。
【図３】ネットユニットの平面図である。
【図４】リング列を示す平面図で、（Ａ）はリングロープが相互に交差して連結されている場合を示し、（Ｂ）はリングロープがリング結合コイルにより結合されている場合を示す。
【図５】支柱の上端に取り付けられる取り付け金具の拡大分解斜視図である。
【図６】支柱の上端に取り付け金具を組み付けた状態を示す部分拡大図である。
【図７】第２の網状体と落石の衝撃吸収時の変位挙動を示す説明図で、（Ａ）落石が第２の網状体に接触する直前の状態を示し、（Ｂ）は谷側に最大に張り出した状態を示し、（Ｃ）は衝撃吸収後の落石誘導状態を示す。
【図８】既設の落石防護網の張設状態を示す全体側面図である。
【発明を実施するための形態】
【００２１】
以下、本発明の実施の形態を図面に示す実施例を参照しながら説明する。本実施例は、主としてポケット式落石防護工法並びに装置について例示しているが、本発明はこれらに限定されるものではなく、特許請求の範囲を逸脱しない限りにおいて、当業者の知識に基づく種々の変更が可能である。
【００２２】
図１は本発明の落石防護装置１が斜面に設置された状態を横方向から見た全体側面図、また、図２は図１における部分を見た正面図である。
本発明の特徴的な構成は、図１に示すように、斜面Ｇの谷側に張設された第１の網状体２としての、例えば金網で形成されたポケット式落石防護網（以下単に第１の網状体と言う）と、この第１の網状体よりも斜面側で、当該第１の網状体の斜面側の面に接触させることの無いように離間させて張設した第２の網状体３としての、例えば高強度のロープをリング状に形成して成るリングロープの多数を結合したリング式ネット（以下単に第２の網状体と言う）とを用いる点にある。
【００２３】
第１の網状体２は金属線を網状に組み合わせた金網を用いている。この金網は小径の礫等を堰き止めるために網目が細かく成形されている。例えば、織金網、亀甲金網、クリンプ金網、菱形金網、蛇篭、溶接金網など種々のものが採用されるが、以上の種類に限定されるものではないことは言うまでもない。
【００２４】
また、第２の網状体３はワイヤーロープを円形に曲げた多数のリングロープ４からなるリング式ネット５が使用される。リングロープ４は例えば５０ｃｍ直径のものを採用している。従って、第１の網状体２の目合いよりも大きな目合いを有する。このリング式ネット５は、図２に示す多数のリングロープ４からなるネットユニット６の結合体である。図４（Ａ）に示すように、複数のリングロープ４が連結されて一条のリング列７を形成し、このリング列７の何本かを左右に連結して前記ネットユニット６が形成される（図３）。そして、このネットユニット６の端部に位置するリングロープ４を他のネットユニット６と相互に結合してリング式ネット５が得られる。このリングロープ４は、種々の材料を用いて製作することが可能で、設置場所の種々の条件なども勘案して、例えば炭素繊維やアラミド繊維樹脂や全芳香族ポリエステル樹脂等の高強度繊維、更には超高強度ポリエチレン繊維等も採用できる。
【００２５】
また、一本のリング列７は、図３、同４（Ａ）に示すように、リングロープ４が相互に交差して連結される。そして、一例を示すと、個々のリングロープ４は、約１２ｍｍ直径で、１．６ｍないし１．７ｍ程度の長さの一本のワイヤーロープの両端を重ねて金具Ｃで覆い、それをかしめるアイロック加工によって、例えば上記したような５０ｃｍ直径のリングに形成される。なお、リングロープ自体は反発性の高いものであるので、リングロープ４は簡単に形が大きく崩れることはない。このようなリングロープ４を例えば５個交差させると、２．５ｍの長さを有した一条のリング列７が形成される。
【００２６】
前記したネットユニット６は、図３に示すように、このようなリング列７を例えば５本平行に並べ、各リング列７のリングロープ４を隣り合うリング列７のリングロープ４と相互に連結し、2 . ５ｍ×５ｍの広さとしてある。このネットユニット６は、予め工場生産されてもよく、必要に応じて現場でリング列７同士を連結した所定幅、高さのネットユニット６を形成することもできる。もちろん、リング列７も予め工場生産されることも可能である。
【００２７】
尚、前記リングロープ４の直径は適用される現場の状況に応じて、例えば３０ｃｍ, ４０ｃｍなど適宜の寸法のものを選択できる。また、図４（Ａ）に示される相互に交差するものに代えて、図４（Ｂ）に示すように、単に縦方向に並列させ、互いの接触部を連結コイルＣＡによって連結してもよい。
【００２８】
図１、図２に示すように、第１の網状体２はその上縁が、斜面Ｇの上方のほぼ等しい高さ位置に所定間隔を置いて当該斜面Ｇに打ち込まれて支柱列を構成している、Ｈ形鋼で形成された支柱８の上端に一体的若しくは一体的に取り付けられた側面視で欧文字のＴ字型をしたロープ支持金具９（図５参照）を介してこの支柱列に支えられている。当該支柱８は斜面の地山に埋め込まれたアンカー１０上端に取り付けたべースプレート１１にヒンジ１２によって回動可能に支持されている。そして各支柱８には、これらの起立姿勢を維持させるために、吊りロープ１３が前記ロープ支持金具９の斜面側に係合されたシャックル１４（図５参照）を介して連結されている。この吊りロープ１３はこの支柱８の山側の所定位置に打ち込まれた吊りロープ用アンカー１５に固定されている。更に具体的には、第１の網状体２の上部がこの支柱８上部の谷側の側面に設けたフック部材１６（図５、６参照）に直接に係止されるとともに、上縁がこの支柱間隔と等しい箇所を縦ロープ１７を介して、前記ロープ支持金具９の谷側に設けられたシャックル１８により吊り下げ支持されている。当該第１の網状体２の下端は、言うまでもないが、斜面Ｇの下端、平地Ｇ１との境目近傍まで延設して張設されている。
【００２９】
前記ロープ支持金具９は、図５，６に示すように、Ｈ形鋼を採用した支柱８のウェッブ８Ａの上端に溶接により一体的に固定された左右一対の取り付け片１９と、この取り付け片１９の谷側と斜面側との二か所にボルト挿通孔２０を備えて成る。谷側のボルト挿通孔２０には前記縦ロープ１７の上端を固定するシャックル１８の係合ボルト１８Ａが挿通され、この係合ボルト１８Ａによって前記シャックル１８を前記取り付け片１９に固定する。この支柱８は、Ｈ形鋼の他にも、例えば、丸形鋼管、角形鋼管、山形鋼、Ｉ形鋼、Ｔ形鋼、みぞ形鋼、Ｚ形鋼など各種の形態のものを採用できる。
【００３０】
次に、前記第２の網状体３を張設するための取り付け金具２１をはじめとする具体的な構造について、図５, ６の記載に基づいて説明する。
この第２の網状体３を斜面Ｇに張設するにあたっては、上端をバックステーロープＢＲを介して、また下部はエンドロープＥＲを介して第１の網状体２の斜面側の面２Ａに接触させることの無いように離間させてこの第２の網状体３を第１の網状体の斜面側に張設してある。この第２の網状体の下端縁を固定しないで、エンドロープＥＲによって下端縁からやや上方に離れた部位を地山に固定するのは、落石を斜面下方の安全な部位に誘導案内するためである。
【００３１】
第１の網状体２と第２の網状体３との離間寸法は、設置場所や落石の衝撃エネルギーの大小にもよるが、支柱８への係合部位（両網状体の間隔が最も狭い箇所）でも少なくとも１０ｃｍ以上が望ましく、下部（両網状体の間隔が最も広い箇所）では少なくとも５０ｃｍ以上が望ましい。
【００３２】
前記取り付け金具２１は、図５に示すように、前記支柱８の上端の前記ロープ支持金具９の斜面側に固定されるもので、谷側にボルト挿通孔２２を、また、斜面側には前記吊りロープ１３の係止用のシャックル１４を固定するためのピン２３をそれぞれ備えて前記取り付け片１９を左右から挟持する一対の平板２4 と、この平板２４の谷側に設けられた前記ボルト挿通孔２２と同軸の前記取り付け片１９に設けられたボルト挿通孔２０に挿通され、且つ、軸心部に軸方向に沿って一端から他端に貫通した貫通孔２５を備えたジョイントピン２６とから構成されている。
【００３３】
前記バックステーロープＢＲは、図５に示すように、前記各支柱８の上端の各取り付け金具９の前記ジョイントピン２６の貫通孔２５を通って、斜面の所定の幅にわたって張架されている。このバックステーロープＢＲは、図１, ２に示すように、その両端が前記支柱８の山側の所定位置に打ち込まれたバックステーアンカー２７に固定されて張架されている。また、前記エンドロープＥＲは、第２の網状体３の下部で、斜面の所定の幅にわたって張架されている。このエンドロープＥＲは、この第２の網状体３が張設される所定の幅よりも更に左右それぞれ横外方の斜面に打ち込まれたエンドアンカー２８にその両端が固定されている。
【００３４】
これらバックステーロープＢＲとエンドロープＥＲとの間には、図２に示すように、斜面横幅方向に所定間隔置きにガイドローブＧＲが、その上端をバックステーロープＢＲに、下端をエンドロープＥＲにクロスクリップ２９など公知の固定金具で適宜に固定されている。そして、前記第２の網状体３を構成するネットユニット６の上端のリングロープ４がバックステーロープＢＲに、また下部のリングロープ４がエンドロープＥＲにそれぞれクロスクリップ２９など公知の固定金具を介して固定される。バックステーロープＰＲ、エンドロープＥＲ、更にはガイドロープＧＲは共にワイヤーロープが採用されている。
なお、これらの各ロープも、リングロープ４に採用される、例えば炭素繊維やアラミド繊維樹脂や全芳香族ポリエステル樹脂等の高強度繊維、更には超高強度ポリエチレン繊維等から得られるロープを利用できる。
【００３５】
次に、落石防護工法を説明する。
先ず、決定された施工場所の設計図を作成する。
次いで、この設計図に基づき現地測量及びマーキングを施す。
【００３６】
次に、アンカーの設置を施す。
先ずは、岩部用アンカーを設置する。具体的には、削岩機およびコンプレッサーを使用して穿孔し、ボアホールを形成する。ボアホールに所定のセメントカプセルを挿入し、その後にアンカーボルトを押し込み、撹拌して定着させる。このアンカーボルトは、前記支柱を立設するためのアンカー１０、吊りロープ用アンカー１５、バックステーアンカー２７である。
【００３７】
また、必要に応じ、岩部用アンカーの設置と並行して土砂部用アローアンカーを設置する。ニューマチックパンチャーおよび杭打ち機などコンプレッサーを使用して、この土砂部用アローアンカーを所定深さまで打ち込む。この土砂部用アローアンカーは、本実施例では、前記エンドアンカー２８、第１の網状体２を張設するために張架される横ロープ３０の両端を固定する横アンカー３１の２種類である。
尚、説明の便宜上、図１には横ロープ３０並びに横アンカー３１の記載は省略してある。
【００３８】
アンカーの設置が完了したら、ポケット支柱８の設置に掛かる。支柱８の足元に設置した前記アンカー１０にベースプレート１１を取り付け、支柱本体をこのベースプレート１１に対して前記ヒンジ１２を介して取り付ける。また、支柱８の上端のロープ支持金具９の取り付け片１９にはバックステーロープＢＲを通すための取り付け金具２１を取り付けておく。
【００３９】
次いで、前記第２の網状体３を張設するための各ロープ類、つまりはバックステーロープＢＲ、エンドロープＥＲ、吊りロープ１３を、端部には巻付クリップ３３を装着し、打設終了し、所定の強度に達した前記各アンカーに接続する。バックステーロープＢＲは、前記支柱８に予め取り付けてある取り付け金具２１のジョイントピン２６の貫通孔２５に通しながら張架しておく。このジョイントピン２６は前記取り付け片１９の反対側からナット２６Ａで固定される（図５参照）。なお、吊りロープ１３の他端は前記シャックル１４を介して前記取り付け金具２１の平板２４に設けたピン２３を介して支柱８に固定する。また、この吊りロープ１３によって支柱８は所定の立設角度が保たれる。このシャックル１４とピン２３の係合は、図５に示すように、シャックル１４に挿通されたボルト１４Ａとナット１４Ｂで行われる。
【００４０】
次に、リング式ネット５を張設する。具体的な手順としては、先ず、バックステーロープＢＲにユニット化されたネットユニット６或いは設置場所に応じてリング列７等を、例えばクロスクリップ２９等の固定具を用いて接合する。更に、ネットユニット６或いはリング列７同士をエックスクリップ等の固定具で順次接合し、最終的に、図２に示す、リング式ネット５を形成する。引き続き、前記ガイドロープＧＲ及びエンドロープＥＲに、例えばクロスクリップ２９等の固定具を用いて接合する。このような手順によって、先ず第２の網状体３であるリング式ネット５が張設される。
【００４１】
このリング式ネット５の張設の後に、今度は第１の網状体２である金網の張設に取り掛かる。
この金網の張設は、通常のポケット式落石防護網の設置工法と同様である。
図２に示すように、予め斜面上下方向に適宜の間隔を置いて設置された複数本の横アンカー３１にそれぞれ横ロープ３０の両端を適宜に固定して、上下複数段にこれを張架する。また、前記各支柱８からは、その前記取り付け片１９の谷側に設けられたボルト挿通孔２０に装着されたシャックル１８を介して縦ロープ１７が最下段の前記横ロープ３０にわたって張架される。このシャックル１８は、図５に示すように、ボルト１８Ａとナット１８Ｂで固定される。したがってこれら縦・横の両ロープ１７, ３０によって格子が形成される。各ロープの交点はエックスクリップ３２、また縦ロープ１７の下端と最下段の横ロープ３０は、巻付クリップ３３等によって結合される。次いで、第１の網状体（金網）２をその上端縁を前記支柱８の谷側側面に固定してある前記フック部材１６に適宜に結合すると共に、この第１の網状体２を縦・横のロープ１７, ３０に等間隔で適宜固定して第１の網状体２を張設する。
【００４２】
このようにして、斜面Ｇに第１と第２の網状体２，３によるポケットＰが形成され、また、前記第１の網状体２の斜面側に、上端から下端に至る全域にわたって当該第１の網状体２の斜面側の面２Ａに接触させることの無いように離間した第２の網状体３が張設される。
【００４３】
したがって、リング式ネット５を通過出来ない大きさの落石が発生するとこの落石Ｒは、金網からなる第１の網状体２に直接衝突することなく、先ずリング式ネット５による第２の網状体３で受け止められる。
第２の網状体３がこの落石Ｒによる衝撃を受けたとき、図７（Ａ）に示すように、衝撃力が衝撃中心からリングロープ４を伝達し外方へ均一に拡がっていき、その際に各リングロープ４が他のリングロープ４との連結箇所で外方へ引っ張られ、各リングロープ４は受ける引っ張り力に応じて変形し、リングロープ４が図７（Ｂ）に示すように、谷側へ張り出した状態になり、その結果エネルギーが吸収される。この時、この第２の網状体３はその谷側に張設されている前記第１の網状体２に対して、上端から下端に至る全域にわたって当該第１の網状体２の斜面側の面２Ａに接触させることの無いように離間して張設されているので、落石の衝撃力を直接にこの第１の網状体２に伝達せず、第２の網状体２で分散・吸収した後、この落石Ｒを、図７（Ｃ）に示すように、この第２の網状体３に沿って下方へ誘導し、その下端部から第１の網状体２側へ誘導して、安全な斜面下へ排出することが可能になる。
【００４４】
その結果、第１の網状体２が、たとえ経年変化などにより劣化したり、施工当時と現在では安定計算方法が異なってきたりするなどの要因で、本来有するべき強度を有していないような現場であっても、この第１の網状体２の安全性を確保できる。
【００４５】
以上の説明は、新設の場合を例示したものであるが、本発明に係る落石防護工法ならびに装置は既設のポケット式の落石防護網にも適用できる。
既設のポケット式落石防護網は、図８に示すように、支柱８の上端の取り付け片１９の谷側と斜面側とのそれぞれのボルト挿通孔２０に取り付けられたシャックル１８を介して（吊りロープ１３側は省略する）、第１の網状体２と吊りロープ１３が張架されている。
この状態において、この第１の網状体２の強度を保障する必要が出た場合、図１，２に示すように、先ずは、予め決められた位置に前記バックステーロープＢＲとエンドロープＥＲのそれぞれのアンカー２７, ２８を、先の実施例に記載の要領で固定する。
【００４６】
次いで、前記吊りロープ１３と取り付け片１９との結合を解除する。
尚、解除するに当たっては、支柱８の所期の起立姿勢を維持する意味からも、支柱８を前もって補足的に支持する方途を施しておく必要があることは言うまでもない。
吊りロープ１３を取り付け片１９から取り外した後、開放された斜面側の前記ボルト挿通孔２０に前記平板２４をその斜面側の挿通孔２２の位置合わせをしつつ、前記ジョイントピン２６を両孔２０, ２２に挿通し、この平板２４を取り付け片１９に、このジョイントピン２６を中心にして上下に回動自在に取り付ける。
この平板２４の取り付けが完了したら、吊りロープ１３をシャックル１４を介して前記ピン２３に固定するとともに、バックステーロープＢＲをこのジョイントピン２６の貫通孔２５を通しながら張架し、両端をバックステーアンカー２７に固定する。
以下は先に記載した実施例の手順に従って、エンドロープＥＲ、ガイドロープＧＲを張架し、その後、第２の網状体３を張設する。
これによって、斜面Ｇの既設の第１の網状体２の斜面側に、上端から下端に至る全域にわたって当該第１の網状体２の斜面側の面２Ａに接触させることの無いように離間した第２の網状体３が張設される。
【００４７】
このように構成された第２の網状体３は、先の実施例と同様に、落石Ｒの衝撃力を直接に第１の網状体２に伝達せず、この新設の第２の網状体３で分散・吸収した後、この落石Ｒをこの第２の網状体３に沿って下方へ誘導し、その下端部から第１の網状体２側へ誘導して、安全な斜面下へ排出することが可能になる。
その結果、第１の網状体２が、たとえ経年変化などにより劣化したり、施工当時と現在では安定計算方法が異なってきたりするなどの要因で、本来有するべき強度を有していないような現場であっても、この第１の網状体２の安全性を確保できる。
【００４８】
特に、第１の網状体２よりも大きな目合いで、しかも高強度のロープからなる第２の網状体３を採用すれば、大きくて重い落石の高い落下衝撃エネルギーをこの第２の網状体３で的確に吸収して、第１の網状体２にこの大きな落石の落下衝撃エネルギーが伝達するのを上手く低減または阻止でき、その後、落石をこの第２の網状体３に沿って安全な斜面下へと誘導できる。一方で、第１の網状体２では、第２の網状体３で制止できない小さいサイズの落石もうまく制止できる
【００４９】
尚、以上の構成において、図示しないが、前記取り付け金具２１は、代替構造として、前記平板２４を用いずに、基本的には、ジョイントピン２６のみでも構成できるようにしたものである。
具体的には、ジョイントピン２６を長尺にし、吊りロープ１３のシャックル１４をボルト１４Ａとナット１４Ｂを介して、直接にこのジョイントピン２６に係合する。この時、シャックル２６がジョイント２６から離脱しないように、図５に示すジョイントピン２６の頭部を、必要に応じて、更に大径にして、ストッパーの機能を持たせたり、あるいは、別部材で一枚若しくは二枚の当て板を前記取り付け片１９に対峙させてジョイントピン２６に軸支させ、この当て板と取り付け片１９との間、あるいは二枚の当て板の間にシャックル１４を配置する構成なども採用できる。使用部品点数を少なくできる上にコンパクト化を図れる上で有利である。長尺とは、前記ジョイントピン２６の全長を、少なくとも前記吊りロープ１３のシャックル１４の幅を加えた寸法である。また、二枚の当て板を採用する場合には、更にこの二枚の当て板の幅分を加えた寸法である。
【符号の説明】
【００５０】
１…落石防護装置
２…第１の網状体
３…第２の網状体
４…リングロープ
５…リング式ネット
６…ネットユニット
７…リング列
８…支柱
９…ロープ支持金具
１０…アンカー
１３…吊りロープ
１９…取り付け片
２０…ボルト挿通孔
２１…取り付け金具
２２…ボルト挿通孔
２３…ピン
２４…平板
２５…貫通孔
２６…ジョイントピン
２７…バックステーアンカー
２８…エンドアンカー
【図１】
2014105528.tif 000003
【図２】
2014105528.tif 000004
【図３】
2014105528.tif 000005
【図４】
2014105528.tif 000006
【図５】
2014105528.tif 000007
【図６】
2014105528.tif 000008
【図７】
2014105528.tif 000009
【図８】
2014105528.tif 000010